(57)【特許請求の範囲】
【請求項１】
棒状体１の長手方向の一端側に側方へ突出するように複数の道糸連結部２を適宜な間隔をあけて設け、又、棒状体１の長手方向の他端側を針体取付軸部３となし、針体４をイカが引掛かったときの抵抗で容易に外れるように針体取付軸部３に対し脱着自在に取付けるとともに、その針体４を棒状体１に対しテグス９又は軟線材により繋いだことを特徴とするイカ釣用仕掛。
【請求項２】
棒状体１の長手方向の一端側に側方へ突出するように複数の道糸連結部２を適宜な間隔をあけて設け、又、棒状体１の長手方向の他端側を針体取付軸部３となして、その針体取付軸部３に針体４を固着し、その針体取付軸部３を棒状体１に対しイカが針体４に引掛かったときの抵抗で容易に外れるように脱着自在に取付けるとともに、その針体取付軸部３を棒状体１に対しテグス５又は軟線材により繋いだことを特徴とするイカ釣用仕掛。
【発明の詳細な説明】
【０００１】
【発明の属する技術分野】
本発明はイカ釣用仕掛に関する。
【０００２】
【従来の技術】
従来、図８に示すように、棒状体１の長手方向の一端側に側方へ突出するように複数の道糸連結部２を適宜な間隔をあけて設け、又、棒状体１の長手方向の他端側を針体取付軸部３となして、その針体取付軸部３にイカを引掛ける針体４を固着した構造のイカ釣用仕掛が存在する。なお、図中、符号５はバランサ、符号６はストッパを示している。
【０００３】
この種のイカ釣用仕掛は、図９に示すように、道糸７の先端に小魚等の餌８を取り付けて海中に投入し、その餌８にイカ（図示せず）が抱き付いたときに、道糸連結部２を道糸７に掛け吊るして、その道糸７にガイドさせながら道糸７の先端方向へ移動させてイカの下側に潜り込ませ、その状態で道糸７を操作してイカを針体４に引掛けるように使用するものである。
【０００４】
しかしながら、イカが針体４に引掛かった状態でイカが暴れて棒状体１が曲がったりすると、道糸７が弛むことがあって、その道糸７の弛みによりイカが動きやすくなって更にイカの動きが激しくなる傾向があるが、棒状体１はフレキシブルに動けず、撓むことぐらいしかできないので、イカの動きについていけず、イカが針体４から外れやすいという不満があった。
【０００５】
【発明が解決しようとする課題】
そこで本発明は、イカが針体に引っ掛かった状態でイカの抵抗により道糸が弛むことがあっても、針体がイカの動きに追随して動くことができて、イカが針体から外れるのを防止できるイカ釣用仕掛の提供を課題とする。
【０００６】
【課題を解決するための手段】
上記課題を解決するために、本発明のイカ釣用仕掛は、棒状体１の長手方向の一端側に側方へ突出するように複数の道糸連結部２を適宜な間隔をあけて設け、又、棒状体１の長手方向の他端側を針体取付軸部３となし、針体４をイカが引掛かったときの抵抗で容易に外れるように針体取付軸部３に対し脱着自在に取付けるとともに、その針体４を棒状体１に対しテグス９又は軟線材により繋いだことを特徴とする、という構成を採るものである。
【０００７】
また、同じく上記課題を解決するために、本発明のイカ釣用仕掛は、棒状体１の長手方向の一端側に側方へ突出するように複数の道糸連結部２を適宜な間隔をあけて設け、又、棒状体１の長手方向の他端側を針体取付軸部３となして、その針体取付軸部３に針体４を固着し、その針体取付軸部３を棒状体１に対しイカが針体４に引掛かったときの抵抗で容易に外れるように脱着自在に取付けるとともに、その針体取付軸部３を棒状体１に対しテグス９又は軟線材により繋いだことを特徴とする、という構成を採ることもできる。
【０００８】
【発明の実施の形態】
以下、図を用いて本発明の実施の形態について説明する。まず、図１は本発明の基本形態を示したものである。棒状体１は長手方向の一端側に側方へ突出するように複数の道糸連結部２を適宜な間隔をあけて設ける。なお、図では、道糸連結部２を２箇所に設けているが、３箇所以上設けることも可能である。この棒状体１には細い直線状の金属棒などを用いることができる。また、道糸連結部２は線材の先端部をクリップのように環状に屈曲させた形状にすることができる。なお、棒状体１の端に位置する道糸連結部２は棒状体１の端部を屈曲して形成することができるが、棒状体１の中間部位に位置する道糸連結部２は別個の線材により形成して棒状体１に接合することができる。
【０００９】
なお、棒状体１には、道糸連結部２と道糸連結部２の中間位置に、その長手方向へ移動可能なバランサ５を取付けるとともに、そのバランサ５を任意の位置に固定可能なストッパ６を取付ける。
【００１０】
また、棒状体１は長手方向の他端側を針体取付軸部３となして、その針体取付軸部３に針体４を脱着自在とする。その脱着手段は、イカが引掛かったときの抵抗で針体４が容易に外れるような構造のものを採用する。その脱着手段としては、例えば、軟質パイプ１０を使用することができる。すなわち、軟質パイプ１０を針体取付軸部３に取付けて、その軟質パイプ１０に対し針体４の先端頭部を挿入して摩擦力により固定可能となし、かつ、イカが引掛かったときの抵抗で針体４の先端頭部が軟質パイプ１０から容易に脱出可能な構成とすることができる。なお、軟質パイプ１０の代わりに孔を有する軟質成形品を用いることも可能である。また、他の脱着手段としては、例えば、図２に示すように、磁石１１を用いることができる。すなわち、磁石１１を針体取付軸部３に取付けて、その磁石１１に対し針体４の先端頭部を吸着且つ分離可能とする構成にすることができる。なお、軟質パイプ１０若しくは孔を有する軟質成形品又は磁石１１を針体４の側に取付けることも可能である。
【００１１】
また、針体４にはテグス９又は軟線材の一端を繋ぎ、そのテグス９又は軟線材の他端を棒状体１に繋ぐ。軟線材の材料は自由であり、伸縮性を有する素材を用いることも可能である。なお、棒状体１の中間部位に設ける上記の道糸連結部２に使用する線材の端部を屈曲してリング１２を形成し、そのリング１２にテグス９又は軟線材の他端を繋ぐことができる。
【００１２】
針体取付軸部３には、図３又は図４に示すように、複数の針体４を適宜な間隔で取付けることができる。各針体４は上記と同様に軟質パイプ１０等を使用してそれぞれ脱着自在とし、かつ、各針体４をテグス９又は軟線材で棒状体１に繋ぐ。各針体４は、図３に示すように、それぞれ別々のテグス９又は軟線材で棒状体１に繋ぐことができるが、図４に示すように、１本のテグス９又は軟線材で全ての針体４を棒状体１に繋ぐことも可能である。
【００１３】
針体取付軸部３は、図５に示すように、二股状又は三股状等複数本に分岐させることができる。そして、各針体取付軸部３に対しそれぞれ針体４を上記と同様に軟質パイプ１０等を使用して脱着自在に取付けることができる。なお、各針体取付軸部３にはそれぞれ針体４を単数又は複数取付けることができる。そして、針体４を複数取付ける場合は、その各針体４を上記のように別々のテグス９又は軟線材で棒状体１に繋いでもよいし、又は、１本のテグス９又は軟線材で全ての針体４を棒状体１に繋いでもよい。
【００１４】
次に、図６に示すように、棒状体１の長手方向の一端側に側方へ突出するように複数の道糸連結部２を適宜な間隔をあけて設け、又、棒状体１の長手方向の他端側を針体取付軸部３となして、その針体取付軸部３に針体４を固着し、その針体取付軸部３を棒状体１に対しイカが針体４に引掛かったときの抵抗で容易に外れるように脱着自在に取付けるとともに、その針体取付軸部３を棒状体１に対しテグス９又は軟線材により繋いだ構成にすることも可能である。なお、針体取付軸部３に固着する針体４は単数でも複数でも自由である。また、棒状体１に対する針体取付軸部３の脱着手段としては、上記のように軟質パイプ１０若しくは孔を有する軟質成形品又は磁石１１等を使用可能である。また、軟線材には伸縮性を有する素材を用いることも可能である。なお、針体取付軸部３にはテグス９又は軟線材を繋ぐためのリング１３を形成することができる。
【００１５】
針体取付軸部３を棒状体１に対し脱着自在とする場合も、図７に示すように、その針体取付軸部３を二股状又は三股状等複数本に分岐させることができる。そして、複数本の針体取付軸部３の結合部を上記と同様に軟質パイプ１０等を使用して棒状体１に対し脱着自在に取付けることができる。なお、各針体取付軸部３にはそれぞれ針体４を単数又は複数取付けることができる。そして、複数本の針体取付軸部３の結合部を上記のようにテグス９又は軟線材で棒状体１に繋ぐことができる。
【００１６】
【発明の効果】
請求項１記載の本発明のイカ釣用仕掛は、イカが針体４に引掛かったときの抵抗で針体４が針体取付軸部３から外れて、その後はテグス９又は軟線材によって繋がれているだけなので自由に動くことができ、これによりイカの動きに容易に追随することができるので、イカが針体４から外れにくくなるという効果がある。
【００１７】
また、請求項２記載の本発明のイカ釣用仕掛も、イカが針体４に引掛かったときの抵抗で針体取付軸部３が棒状体１から外れて、その後はテグス９又は軟線材によって繋がれているだけなので自由に動くことができ、これによりイカの動きに容易に追随することができるので、イカが針体４から外れにくくなるという効果がある。
【００１８】
なお、上記の実施形態の説明で述べたように、針体取付軸部３を二股状又は三股状等複数本に分岐させれば、針体４の数を増やして一度に多数のイカを引掛けることができるというメリットがある。また、一本の針体取付軸部３に対し複数の針体４を取付ければ、同じく、一度に多数のイカを引掛けることができるというメリットがある。また、複数の針体４を取付ける場合において、それぞれの針体４を別々のテグス５又は軟線材で繋げば、イカが引掛かった針体４だけ外れて、残りの針体４は接続状態を維持するので、再使用する場合に、外れた針体４だけ接続すればよいというメリットがある。また、複数の針体４の全てを一本のテグス５又は軟線材で繋げば、テグス５等の材料を節約できるというメリットがある。また、脱着手段として軟質パイプ６又は孔を有する軟質成形品を用いれば、針体４や針体取付軸部３に対する固定力がちょうどよくて、イカが引掛かったときの抵抗で容易に針体４や針体取付軸部３を外すことができるというメリットがあり、かつ、低コストで容易に製造できるというメリットもある。また、脱着手段として磁石１１を用いれば、同じく、針体４や針体取付軸部３に対する固定力がちょうどよくて、イカが引掛かったときの抵抗で容易に針体４や針体取付軸部３を外すことができるというメリットがあり、かつ、針体４や針体取付軸部３を接続する場合に、吸着させるだけでよいので接続が簡単であるというメリットもある。また、針体４を針体取付軸部３に繋いだり、針体取付軸部３を棒状体１に繋ぐ軟線材として上記のように伸縮性を有する素材を用いれば、針体４が外れたときに自由に動けるのに加えて伸縮もできるので、イカに対する追随性が更に良好になって、ますますイカが針体４から外れにくくなる。
【図面の簡単な説明】
【図１】側面図である。
【図２】側面図である。
【図３】側面図である。
【図４】側面図である。
【図５】側面図である。
【図６】側面図である。
【図７】側面図である。
【図８】側面図である。
【図９】使用状態を示す側面図である。
【符号の説明】
１  棒状体
２  道糸連結部
３  針体取付軸部
４  針体
５  バランサ
６  ストッパ
７  道糸
８  餌
９  テグス
１０  軟質パイプ
１１  磁石
１２  リング
１３  リング
【図１】
0003583729.tif 000002
【図２】
0003583729.tif 000003
【図３】
0003583729.tif 000004
【図４】
0003583729.tif 000005
【図５】
0003583729.tif 000006
【図６】
0003583729.tif 000007
【図７】
0003583729.tif 000008
【図８】
0003583729.tif 000009
【図９】
0003583729.tif 000010